(57)【要約】【課題】空気調和装置等のプロペラファンにおいて、プロペラファンが送風する空気の流れの乱れを低減する。【解決手段】プロペラファン５０の回転中心に位置するハブ５１と、ハブ５１の外周部５３に設けられたプロペラ翼５２とを備えたプロペラファン５０に取り付けられ、円筒形状の整流部本体６１を有し、整流部本体６１の軸方向がプロペラファン５０の送風方向と一致するようにハブ５１の前部５１Ｂに取り付けられるプロペラファンの整流治具６０を設けた。【選択図】図１０
2010038016.tif 000002
【特許請求の範囲】
【請求項１】
プロペラファンの回転中心に位置するハブと、前記ハブの外周部に設けられた羽根とを備えたプロペラファンに取り付けられ、
円筒形状の整流部本体を有し、この整流部本体の軸方向が前記プロペラファンの送風方向と一致するように前記ハブの前部に取り付けられること、
を特徴とするプロペラファンの整流治具。
【請求項２】
前記整流部本体は、前記円筒形状の側面を形成する側壁と、前記ハブの前部に面して取り付けられる底板とを備え、この底板と対向する面が開口して中空に形成され、
前記側壁及び前記底板の少なくともいずれかには、前記整流部本体の内側に連通する導入口を備えたこと、
を特徴とする請求項１記載のプロペラファンの整流治具。
【請求項３】
前記整流部本体は、前記羽根の側に延びる位置決め突起を備え、この位置決め突起が前記外周部に当接すること、
を特徴とする請求項１または２記載のプロペラファンの整流治具。
【請求項４】
前記整流部本体は、前記プロペラファンが取り付けられる軸に、前記プロペラファンとともにねじ止めにより共締めされること、
を特徴とする請求項１から３のいずれかに記載のプロペラファンの整流治具。
【請求項５】
プロペラファンを備えた空気調和装置の室外ユニットにおいて、
前記プロペラファンは、その回転中心に位置するハブと、前記ハブの外周部に設けられた羽根とを備え、
前記ハブの前部に、円柱形状の整流部本体を有する整流治具が、この整流部本体の軸方向が前記プロペラファンの送風方向と一致するように取り付けられたこと、
を特徴とする空気調和装置の室外ユニット。
【発明の詳細な説明】
【技術分野】
【０００１】
本発明は、空気調和装置等に組み込まれるプロペラファンの整流治具、及び、空気調和装置の室外ユニットに関する。
【背景技術】
【０００２】
従来、空気調和装置の室外機のプロペラファンは、プロペラファンの回転中心に位置するハブに複数の羽根を取り付けて構成されている（例えば、特許文献１参照）。特許文献１には、上記ハブを略三角形に形成し、羽根の外周部から羽根の内周側（ハブの外周側）にかけての空気の流れを平均化して送風作用を高めることで、プロペラファンの騒音を抑えるとともに送風効率を向上させた例が開示されている。
【特許文献１】特開２０００−２１９４号公報
【発明の開示】
【発明が解決しようとする課題】
【０００３】
しかしながら、上記ハブを備えたプロペラファンにおいては、略三角形のハブが回転するため、ハブの外周側からプロペラファンの前方へ送風される空気は、乱れが比較的大きくなっていた。また、一対のプロペラファンを、例えば室外機の一面に上下に並べて配置した場合、室外機の内部では上下のプロペラファンによる空気の流れが影響しあうことによって、空気の流れに乱れが生じていた。このような空気の流れの乱れは、プロペラファンから発生する音の発生要因となることが考えられ、改善することが好ましい。
【０００４】
本発明は、上述した事情に鑑みてなされたものであり、空気調和装置等のプロペラファンにおいて、プロペラファンが送風する空気の流れの乱れを低減することを目的とする。
【課題を解決するための手段】
【０００５】
上述課題を解決するため、本発明は、プロペラファンの回転中心に位置するハブと、前記ハブの外周部に設けられた羽根とを備えたプロペラファンに取り付けられ、円筒形状の整流部本体を有し、この整流部本体の軸方向が前記プロペラファンの送風方向と一致するように前記ハブの前部に取り付けられることを特徴とするプロペラファンの整流治具を提供する。
この構成によれば、プロペラファンのハブの近傍を流れて送風される空気を、ハブの前部に取り付けた円筒形状の整流治具によって整流治具の軸方向に流れるように整流し、プロペラファンが送風する空気の流れの乱れを低減できる。
【０００６】
上記構成において、前記整流部本体は、前記円筒形状の側面を形成する側壁と、前記ハブの前部に面して取り付けられる底板とを備え、この底板と対向する面が開口して中空に形成され、前記側壁及び前記底板の少なくともいずれかには、前記整流部本体の内側に連通する導入口を備えてもよい。
この場合、プロペラファンのハブの近傍を流れて送風される空気を、整流治具の側壁により整流するとともに、中空に形成された整流治具の内部に導入口を介して導入して整流治具の軸方向に流れるように整流できる。これにより、プロペラファンが送風する空気の流れの乱れを低減できる。
【０００７】
また、前記整流部本体は、前記羽根の側に延びる位置決め突起を備え、この位置決め突起が前記外周部に当接するようにしても良い。
この場合、位置決め突起をハブの外周部に当接させて位置決めできるため、容易にかつ正しい向きで整流治具をプロペラファンに取り付けできる。
【０００８】
また、前記整流部本体は、前記プロペラファンが取り付けられる軸に、前記プロペラファンとともにねじ止めにより共締めされても良い。
この場合、整流治具をプロペラファンとともにねじ止めにより共締めして、容易に取り付けできる。
【０００９】
また、本発明は、プロペラファンを備えた空気調和装置の室外ユニットにおいて、前記プロペラファンは、その回転中心に位置するハブと、前記ハブの外周部に設けられた羽根とを備え、前記ハブの前部に、円柱形状の整流部本体を有する整流治具が、この整流部本体の軸方向が前記プロペラファンの送風方向と一致するように取り付けられたことを特徴とする空気調和装置の室外ユニットを提供する。
この構成によれば、空気調和装置の室外ユニットにおいて、プロペラファンのハブの近傍を流れて送風される空気を、ハブの前部に取り付けた円筒形状の整流治具によって整流治具の軸方向に流れるように整流し、プロペラファンが送風する空気の流れの乱れを低減できる。
【発明の効果】
【００１０】
本発明によれば、空気調和装置等のプロペラファンにおいて、プロペラファンが送風する空気の流れの乱れを低減できる。
【発明を実施するための最良の形態】
【００１１】
以下、図面を参照して本発明の実施形態を詳述する。
本実施形態に係る空気調和装置は、室外ユニット１０と室内ユニット（不図示）とから構成されており、冷媒配管により接続された冷媒回路に冷媒を流して、冷房運転及び暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下左右、前面及び背面といった方向は、室外ユニット１０を設置した状態でその前面側から見た場合の方向を示している。
【００１２】
図１は、室外ユニット１０の斜視図であり、図２は、天板１３及び前面パネル１４を取り外した状態の室外ユニット１０の斜視図である。図３は、室外ユニット１０の正面図である。図４は、室外ユニット１０を上方から見た図である。
この室外ユニット１０は、図１に示すように、略直方体箱形状のユニットケース１１を備え、このユニットケース１１は、底板１２（図２参照）、天板１３、前面パネル１４、及び、外板１５を備えている。ユニットケース１１の内部は、図２に示すように、底板１２に立設された仕切り板１６によって縦に仕切られ、熱交換室Ｒ１と機械室Ｒ２とに分割されている。前面パネル１４は、熱交換室Ｒ１の前面を覆う熱交換室側前面パネル１４Ａと、機械室Ｒ２の前面を覆う機械室側前面パネル１４Ｂとを備えており、各前面パネルを取り外すことによって、作業者が室外ユニット１０の前面側から熱交換室Ｒ１及び機械室Ｒ２内の部品のメンテナンス作業をできる構成となっている。
また、熱交換室側前面パネル１４Ａには、室外ユニット１０内部で熱交換された空気が吹き出す２つの吹出口１４０Ａ、１４０Ｂが形成されている。吹出口１４０Ａ、１４０Ｂは、それぞれ熱交換室側前面パネル１４Ａの上下に分かれて形成され、網状のファンガード２９により覆われている。
【００１３】
熱交換室Ｒ１には、図２〜図４に示すように、その背面側に熱交換器２１が収容され、その前面側に上下方向に並べて配置された送風機２２Ａ、２２Ｂが収容される。送風機２２Ａ、２２Ｂは、室外ユニット１０の背面側から吸込んだ空気を前面側に送風する。熱交換器２１は、図４に示すように、上面視略Ｌ字形状に屈曲されて形成され、熱交換室Ｒ１の左側面（外側面）から背面に沿って配置されている。このように、熱交換器２１は熱交換室Ｒ１の左側面及び背面を形成し、この左側面から背面にかけての露出面全体が通風路（吸込口）として機能する。また、本構成では、熱交換器２１の表面は、この熱交換器２１への人体などの接触を防止するため、樹脂性のネットなどからなるフィンガード（不図示）で覆われている。
【００１４】
また、図２に示すように、機械室Ｒ２には、圧縮機３１や、アキュムレータ３２、四方弁３３、膨張弁等の冷媒回路構成部品が配管接続され、当該機械室Ｒ２の空間内に収容される。圧縮機３１及びアキュムレータ３２には、これら機器が発する騒音を抑制するための防音材３９が、これら機器を囲むように取り付けられている。なお、図２では図示されていないが、圧縮機３１及びアキュムレータ３２を防音材３９によって囲んだときに上部に形成される開口は、他の防音材によって塞がれる。
また、図２及び図３に示すように、機械室Ｒ２の前面側における略中間位置には支持片３６が配置され、この支持片３６には、ガス管用サービスバルブ３７と液管用サービスバルブ３８とが固定されている。これらガス管用サービスバルブ３７及び液管用サービスバルブ３８には、室内ユニットから延びるユニット配管のガス管及び液管がそれぞれ接続され、これにより、冷媒を循環する冷媒回路が構成される。
また、機械室Ｒ２の上方空間には、空気調和装置を制御する制御基板などの各種電装品を配設した電装ボックス（電装箱）４０が配置されている。この電装ボックス４０は、仕切り板１６の上部に延在する第１支持板（支持板）４１と、この第１支持板４１に取り付けられる第２支持板４２とを備えて構成され、これら第１支持板４１及び第２支持板４２に基板等の電装ユニットが配置されている。
【００１５】
仕切り板１６は、図２に示すように、熱交換室Ｒ１と機械室Ｒ２との間に配置されて当該熱交換室Ｒ１と機械室Ｒ２とを区分けする薄い板金の基板部１６Ａを備えると共に、この基板部１６Ａの４辺が機械室Ｒ２側に折り曲げられ、トレー形状に形成されている。このように、仕切り板１６は、薄い板金を上記トレー形状に折り曲げて形成することにより、剛性（強度）の向上を図っている。仕切り板１６は、この仕切り板１６の底辺を折り曲げて形成した下面部と、底板１２とがねじ止めによって固定されることにより、底板１２に立設されている。さらに、仕切り板１６の後方の辺を折り曲げて形成された背面部が、熱交換器２１の端部に設けられた管板３５にねじ止めによって固定されている。具体的には、熱交換器２１の図４中右側の端部には、管板３５が設けられており、この管板３５には、ユニットケース１１内側の側縁部を略Ｌ字形状に折り曲げたリブ３５Ａが形成され、このリブ３５Ａに仕切り板１６の背面部がねじ止めによって固定されている。
【００１６】
図５は、送風機２２Ａ、２２Ｂとその近傍の一部断面側面図である。
送風機２２Ａ、２２Ｂは、図２〜図５に示すように、室外ユニット１０の前面側に送風するプロペラファン（軸流ファン）５０と、プロペラファン５０を回転駆動するファンモータ２６とをそれぞれ備えて構成されている。ファンモータ２６は、前面側に延びる回転軸２６Ａ（軸）を有し、プロペラファン５０は、回転軸２６Ａに取り付けられている。ここで、送風機２２Ａ、２２Ｂは同一に構成される送風機であり、送風機２２Ａは熱交換室Ｒ１の上部に配設され、送風機２２Ｂは熱交換室Ｒ１の下部に配設されている。
熱交換器２１の前面側には、送風機２２Ａ、２２Ｂが取り付けられる左右一対の支柱２４Ｌ、２４Ｒが設けられている。そして、送風機２２Ａ、２２Ｂは、図２に示すように、上下方向に延在する支柱２４Ｌ、２４Ｒに台座２５Ａ、２５Ｂを介して固定され、熱交換室Ｒ１の上下方向の中心を中心として略対称となる位置に配設されている。
【００１７】
図１及び図５に示すように、プロペラファン５０は、熱交換室Ｒ１の前面側に位置し、吹出口１４０Ａ、１４０Ｂは、各々のプロペラファン５０がそれぞれ吹出口１４０Ａ、１４０Ｂから臨むように形成されている。また、吹出口１４０Ａ、１４０Ｂには、円筒状の風洞ケース２８がそれぞれ配置され、プロペラファン５０は、その前部が風洞ケース２８に収まっている。これにより、プロペラファン５０の送風は、風洞ケース２８に導かれて室外ユニット１０の前面側に効率よく吹き出される。
さらに、プロペラファン５０におけるそれぞれの中央部の前部には、整流治具６０が取り付けられている。詳細は後述するが、整流治具６０は、プロペラファン５０の送風を整流する治具である。
【００１８】
ファンモータ２６によりプロペラファン５０が回転駆動されると、室外ユニット１０の周囲の空気は、熱交換器２１の背面側及び左側面側から熱交換室Ｒ１内に吸い込まれ、熱交換器２１を通過した後に、熱交換室Ｒ１の前部の吹出口１４０Ａ、１４０Ｂを通って、図５中矢印で示す方向に外部へ排出される。このように、室外ユニット１０は、背面から空気を吸い込み、熱交換された空気を前面から排気するように構成されている。
【００１９】
図６は、プロペラファン５０を前面側から見た斜視図である。
プロペラファン５０は、ファンモータ２６の回転軸２６Ａに取り付けられるハブ５１に、送風機能を有するプロペラ翼（羽根）５２が形成されて構成されている。ハブ５１は、三角柱形状に形成され、この三角柱形状の各頂点部５１Ａどうしを繋ぐ３つの外周部５３は、その周方向に僅かに湾曲した凸状の曲面に形成されている。そして、プロペラ翼５２は、各々の外周部５３にそれぞれ形成されている。すなわち、プロペラファン５０は、３枚のプロペラ翼５２の各々が、プロペラファン５０の回転中心に位置する三角柱形状のハブ５１の３つの外周部５３にそれぞれ略等角度をあけて配置されて構成されている。
【００２０】
ハブ５１の前面を構成する前部５１Ｂの中央には、回転軸２６Ａが係合するボス穴５１Ｃが形成されている。ボス穴５１Ｃを介して回転軸２６Ａに取り付けられたプロペラファン５０は、ファンモータ２６によって図６中の矢印Ｎの方向に回転駆動される。また、前部５１Ｂには、外周部５３から延びるリブ５１Ｄが設けられている。
【００２１】
プロペラ翼５２は、プロペラ翼５２とハブ５１とが接合される接合部５４と、接合部５４の近傍で幅広に形成された根元部５２Ｂと、プロペラファン５０の外径を構成する外径部５２Ｃと、先細に形成された先端部５２Ｄとを有している。
接合部５４は、一つの頂点部５１Ａの近傍から隣接する頂点部５１Ａの近傍に渡って形成されている。詳細には、接合部５４は、根元部５２Ｂ側ではハブ５１の前面側の前面側接合部５４Ａから接合され、先端部５２Ｄの側に向かうにつれてハブ５１の背面側に傾斜して形成されている。従って、プロペラ翼５２は、プロペラファン５０の回転方向に下るように傾斜して設けられている。また、プロペラファン５０を正面から見ると、プロペラ翼５２は凹状の曲面に形成されている。
【００２２】
プロペラファン５０は、ハブ５１が三角柱形状に形成されており、例えば円柱状のハブを用いた場合と比較して接合部５４の近傍のプロペラ翼５２の面積を大きくできるため、送風の効率が良い。さらに、プロペラファン５０では、接合部５４が僅かに湾曲した曲面であるため、接合部が円弧状の場合と比較してプロペラ翼５２をハブ５１に容易に取付けでき、強度を確保し易い利点がある。
ここで、プロペラファン５０は、プロペラ翼５２を３枚備えているが、３枚のプロペラ翼５２は同一に構成されている。
【００２３】
プロペラファン５０が矢印Ｎの方向に回転すると、プロペラ翼５２の正面側を流れる空気は、圧縮されて高圧となり図６中に矢印Ｘ１〜Ｘ３で示すように流れ、プロペラファン５０の送風方向である正面方向に送風される。
外径部５２Ｃではプロペラ翼５２の回転の周速度が大きいため、矢印Ｘ１で示す外径部５２Ｃの近傍を流れる空気は流速が大きく、送風作用が高い。また、プロペラ翼５２の回転の周速度は、プロペラファン５０の内周側に行くに従い小さくなり、内周側を流れる空気の圧力は外径部５２Ｃの近傍を流れる空気の圧力と比較して低圧となる。このため、プロペラ翼５２の正面側を流れる空気の一部は、矢印Ｘ２、Ｘ３で示すようにハブ５１の側に流れる。
【００２４】
図７は、整流治具６０を正面側から見た斜視図である。図８は、整流治具６０の正面図である。図９は、整流治具６０の平面図である。図１０は、整流治具６０をプロペラファン５０に取り付けた状態を示す斜視図である。
整流治具６０は、円筒形状の整流部本体６１と、整流治具６０をプロペラファン５０に位置決めする位置決め突起６２を有する取付部６３とを備えている。
整流部本体６１は、整流部本体６１の側面を形成するリング状の側壁６４と、整流部本体６１の底面を形成する円盤状の底板６５とを備えている。整流部本体６１において底板６５と対向する面は開口しており、整流治具６０は中空に形成された中空部６０Ａを有している。
ここで、図１０に示すように、整流治具６０は、中空部６０Ａがプロペラファン５０の前方を向き、整流部本体６１の軸方向がプロペラファン５０の送風方向と一致するように取り付けられている。また、整流治具６０は、底板６５がハブ５１の前部５１Ｂ（図６参照）に面するように取り付けられている。
【００２５】
図７〜図９に示すように、整流部本体６１においては、側壁６４から底板６５にかけて切り欠かれて開口する導入口６６が形成されている。詳細には、導入口６６は、側壁６４の高さの中央近傍から底板６５の周縁部の一部を連続して切り欠いて形成され、整流部本体６１の外側と中空部６０Ａとを連通させている。また、導入口６６は、図８に示すように、平面視で円形状の整流部本体６１の外周を略３等分する位置に設けられている。
底板６５には、略三角形状の開口６５Ａが形成されている。開口６５Ａの３つの各縁部には、開口６５Ａの中央に向けて突出するフランジ６７が設けられている。フランジ６７は、図７及び図９に示すように、ハブ５１と面する側に一段突出している。
【００２６】
取付部６３は、図９に示すように、板状の板部６３Ａを折り曲げて形成され、位置決め突起６２は、板部６３Ａの３箇所の端をそれぞれハブ５１の側にＵ字状に折り返して３箇所に形成されている。また、位置決め突起６２は、プロペラファン５０の接合部５４の傾斜に合わせて傾斜し、その先端が鋭角に形成されている。
そして、取付部６３は、ハブ５１の側から底板６５に固定されて、整流部本体６１と一体に構成されている。また、位置決め突起６２は、底板６５の外周近傍の面上において、整流部本体６１の外周を略３等分する位置に設けられている。
さらに、底板６５の開口６５Ａは、板部６３Ａにより塞がれ、底板６５の中心に相当する板部６３Ａの面には、ファンモータ２６の回転軸２６Ａが挿通される取付孔６３Ｂが形成されている。ここで、取付部６３は、フランジ６７と板部６３Ａとが溶接により接合されて、整流部本体６１に固定されている。
【００２７】
図１０に示すように、整流治具６０は、取付部６３の板部６３Ａがハブ５１のリブ５１Ｄに当接した状態で、ハブ５１の前部５１Ｂに取り付けられている。また、整流治具６０の取付孔６３Ｂには、図５に示すように、回転軸２６Ａが挿通され、回転軸２６Ａの端に形成されたねじ部（図示略）にナット７０が締め込まれている。すなわち、整流治具６０は、プロペラファン５０とともにナット７０により共締めされている。
【００２８】
そして、図５に示すように、整流治具６０の前端を構成する前端部６０Ｂはプロペラ翼５２の前端である翼前端５２Ｅよりもわずかに前方に突出している。また、図３に示すように、整流治具６０は、正面視においてハブ５１よりも大きく形成され、ハブ５１の前部５１Ｂを覆っている。
また、図１０に示すように、整流治具６０がハブ５１に取り付けられた状態では、各々の位置決め突起６２の内側面が、ハブ５１の３つの外周部５３にそれぞれ当接し、整流治具６０がプロペラファン５０に位置決めされている。また、位置決め突起６２の先端は、接合部５４の傾斜に沿うように位置している。すなわち、位置決め突起６２は、３つの位置決め突起６２を正面視で三角形状のハブ５１の外周部５３に嵌め込むことにより、整流治具６０を位置決めできるように構成されている。
【００２９】
また、図３及び図１０に示すように、整流治具６０は、３つの導入口６６の各々が、プロペラファン５０の３箇所の前面側接合部５４Ａの近傍にそれぞれ位置するように取り付けられている。導入口６６と前面側接合部５４Ａとは、整流治具６０をハブ５１に嵌め込むことで、位置決め突起６２により位置決めされる。
【００３０】
図１０中の矢印Ｎの方向にプロペラファン５０が回転すると、図５に示すように、室外ユニット１０の背面側から吸込まれた空気は、プロペラファン５０により前面側に送風される。この際、プロペラファン５０とともに回転するハブ５１の近傍を流れる空気は、図３、図５及び図１０に矢印Ｘ３で示すように、前面側接合部５４Ａの近傍に向けて流れる。このように、ハブ５１の近傍を流れる空気は、前面側接合部５４Ａの近傍に向けて流れ、整流治具６０は、導入口６６が前面側接合部５４Ａの近傍に位置するように配設されるため、ハブ５１の近傍を流れる空気が導入口６６に流れ易くなっている。
すなわち、ハブ５１の近傍を流れて整流治具６０に達した空気において、一部の空気は３箇所の導入口６６からそれぞれ整流治具６０の中空部６０Ａに流入し、整流治具６０の軸方向に矢印Ｘ４のように前方へ流れ、残りの空気は側壁６４に沿って整流治具６０の軸方向に矢印Ｘ５のように前方へ流れる。
【００３１】
ところで、従来の空気調和装置に組み込まれるプロペラファンにおいては、プロペラファンの回転に伴うハブの回転により、ハブの外周側で空気の流れの乱れが発生していた。
本実施の形態のプロペラファン５０においては、ハブ５１の近傍を流れる空気の一部は、導入口６６から整流治具６０の中空部６０Ａに流入し、中空部６０Ａで整流されて乱れが低減された後、整流治具６０の前方へ送風される。また、ハブ５１の近傍を流れる空気の残りは、整流治具６０の側壁６４に沿って流れるように整流されて乱れが低減された後、整流治具６０の前方へ送風される。これにより、ハブ５１の近傍を流れる空気を、整流治具６０の軸方向に流れるように整流し、前方へ送風される空気の乱れを低減できる。このため、三角柱形状のハブ５１の回転による空気の乱れを低減して、プロペラファン５０の音を抑制できる。
【００３２】
また、図５に示すように、整流治具６０の前端部６０Ｂはプロペラ翼５２の翼前端５２Ｅよりも前方に突出しており、整流治具６０により整流された空気は、翼前端５２Ｅよりも前方の位置から送風される。これにより、整流治具６０から送風される空気が、翼前端５２Ｅから送風される空気と干渉しにくくなるため、空気の乱れを抑制できる。
さらに、前方へ送風される空気の乱れを低減できるため、送風効率が向上する。このため、プロペラファン５０に整流治具６０を装着すると、例えば、プロペラファン５０の回転数が同一であっても、整流治具６０を装着しない場合と比較してプロペラファン５０による送風量を増加させることができる。
【００３３】
また、室外ユニット１０においては、送風機２２Ａ、２２Ｂの各々は図３中の反時計方向に回転するため、熱交換室Ｒ１内における送風機２２Ａと送風機２２Ｂとの間の空気は、図３に矢印Ｙ、Ｚで示すように互いに向かい合って反対方向に流れる。このため、送風機２２Ａと送風機２２Ｂとの間では空気の乱れが生じ易く、乱れた空気がプロペラファン５０に供給される傾向にある。本実施の形態によれば、乱れた空気がプロペラファン５０に供給されたとしても、前方へ送風する際に整流治具６０によって空気の乱れを低減できる。このため、２台の送風機２２Ａ、２２Ｂを熱交換室Ｒ１に設けた場合においても、送風される空気の乱れを低減し、プロペラファン５０の音を抑制できる。
【００３４】
以上説明したように、本発明を適用した実施の形態によれば、プロペラファン５０のハブ５１の近傍を流れて送風される空気を、ハブ５１の前部５１Ｂに取り付けた円筒形状の整流治具６０によって整流治具６０の軸方向に流れるように整流し、プロペラファン５０が送風する空気の流れの乱れを低減できる。これにより、三角柱形状のハブ５１の回転による空気の乱れを低減して、室外ユニット１０におけるプロペラファン５０の音を抑制できる。
【００３５】
また、ハブ５１の近傍を流れて送風される空気を、整流治具６０の側壁６４により整流するとともに、整流治具６０の中空部６０Ａに導入口６６を介して導入して整流治具６０の軸方向に流れるように整流できる。これにより、プロペラファン５０が送風する空気の流れの乱れを低減できる。
また、位置決め突起６２をハブ５１の外周部５３に当接させて位置決めできるため、容易にかつ正しい向きで整流治具６０をプロペラファン５０に取り付けできる。
さらに、整流治具６０をプロペラファン５０とともにナット７０によってねじ止めにより共締めして、容易に取り付けできる。また、ねじ止めによって容易に取り付けできるため、整流治具６０を備えていない既存のプロペラファンに容易に整流治具６０を取り付けて、空気の乱れを低減できる。
【００３６】
なお、上記実施の形態は本発明を適用した一態様を示すものであって、本発明は上記実施の形態に限定されない。
上記実施の形態では、ハブ５１は三角柱形状であるものとして説明したが、本発明はこれに限定されるものではなく、例えば、円柱や、四角柱等の正面視で多角形状のハブであっても良い。また、整流治具６０は中空部６０Ａを有するものとして説明したが、中実であっても良い。この場合、ハブ５１の近傍を流れて送風される空気は、整流治具の側壁によって整流されて送風される。さらに、導入口６６は、側壁６４から底板６５にかけて切り欠かれて開口するものとして説明したが、側壁６４および底板６５の少なくともいずれかに形成されれば良い。その他の細部構成についても任意に変更可能であることは勿論である。
【図面の簡単な説明】
【００３７】
【図１】本発明の一実施の形態に係る室外ユニットの斜視図である。
【図２】天板及び前面パネルを取り外した状態の室外ユニットの斜視図である。
【図３】室外ユニットの正面図である。
【図４】室外ユニットを上方から見た図である。
【図５】送風機とその近傍の一部断面側面図である。
【図６】プロペラファンを前面側から見た斜視図である。
【図７】整流治具を正面側から見た斜視図である。
【図８】整流治具の正面図である。
【図９】整流治具の平面図である。
【図１０】整流治具をプロペラファンに取り付けた状態を示す斜視図である。
【符号の説明】
【００３８】
１０  室外ユニット
１１  ユニットケース
２１  熱交換器
２２Ａ、２２Ｂ  送風機
２６  ファンモータ
２６Ａ  回転軸
５０  プロペラファン
５１  ハブ
５１Ｂ  前部
５２  プロペラ翼
６０  整流治具
６０Ａ  中空部
６１  整流部本体
６２  位置決め突起
６６  導入口
Ｒ１  熱交換室
【図１】
2010038016.tif 000003
【図２】
2010038016.tif 000004
【図３】
2010038016.tif 000005
【図４】
2010038016.tif 000006
【図５】
2010038016.tif 000007
【図６】
2010038016.tif 000008
【図７】
2010038016.tif 000009
【図８】
2010038016.tif 000010
【図９】
2010038016.tif 000011
【図１０】
2010038016.tif 000012